(57)【要約】【課題】給気経路部と排気経路部からなる空気搬送部の配置スペースを犠牲にすることなく、外気空気清浄部を配置し、換気装置本体の寸法を低減できる換気装置を提供することを目的とする。【解決手段】外気導入口７と室外排気口９とを本体１の第１の側面５に有し、室内給気口１２を本体１の前記第１の側面５に相対する第２の側面１０に有し、室内空気吸込口１７を本体１下面に有し、モーター２１により共に駆動される給気ファン部３と排気ファン部４を略直方体の換気装置本体内部の上下に配置し、前記給気ファン部３の上流部に外気の塵埃等を除去するフィルター２７を備えた同時給排型換気装置であって、前記フィルター２７を、給気ケーシング１５下部の吸込み部を取り囲むように配置することにより、換気装置の本体サイズを略正方形に構成することでコンパクトにし簡便な施工性を備えることができる。【選択図】図１
2006292251.tif 000002
【特許請求の範囲】
【請求項１】
外気導入用ダクト接続部を有する外気導入口と、室内給気用ダクト接続部を有する室内給気口が給気ファンと給気ケーシングからなる給気経路により連通され、室外排気用ダクト接続部を有する室外排気口と、室内空気吸込み口が排気ファンと排気ケーシングからなる排気経路により連通され、前記外気導入口と前記室外排気口とを本体の第１の側面に有し、前記室内給気口を本体の前記第１の側面に相対する第２の側面に有し、前記室内空気吸込み口を前記本体下面に有し、前記給気ファンは前記本体内部のモーターの下部に備え、前記排気ファンは前記モーターの上部に備え、前記モーターにより共に駆動される前記給気ファンと前記排気ファンは略直方体の換気装置本体内部に配置され、前記給気ケーシングの上流部に前記外気の塵埃等を除去するフィルターを備えた同時給排型換気装置であって、前記フィルターは、前記給気ケーシング下部の吸込み部を取り囲むように配置され、前記外気を前記フィルターの外周から前記フィルターを通過し前記給気ケーシング吸込み部に導入する給気経路を備えてなることを特徴とする換気装置。
【請求項２】
前記フィルターは略円筒形状で形成され、前記外気が前記フィルターの外側筒面から内側筒面へ通過する風路で構成されることを特徴とする請求項１記載の同時給排型換気装置。
【請求項３】
前記本体下面に前記フィルターを着脱する開口部を設け、前記開口部を閉鎖する閉鎖部を設け、前記閉鎖部は前記開口部を有する前記本体下面と締結部により締結されることを特徴とする請求項１または２記載の同時給排型換気装置。
【請求項４】
前記給気ケーシングの吸込み部下方の給気経路部下方に、前記略円筒形フィルターの内径より小なる略円形の障壁部を設けたことを特徴とする請求項３記載の同時給排型換気装置。
【請求項５】
前記障壁部と前記閉鎖部との間に空間部を設け、前記閉鎖部の外周部に前記障壁部側へ凸壁部を設け前記障壁部の略外周に当接させたことを特徴とした請求項４記載の同時給排型換気装置。
【請求項６】
前記閉鎖部と前記本体下面とを締結する前記締結部は、固定保持用の爪部とこの爪部が嵌合する受け部からなり、前記爪部と前記受け部は同心円状に複数配設され、前記閉鎖部の回転により前記爪部と前記受け部が当接、嵌合されること特徴とする請求項３〜５のいずれかに記載の同時給排型換気装置。
【請求項７】
前記締結部において、前記受け部は、前記爪部が挿入される穴部と前記爪部を支持する支持部とで形成され、前記爪部には前記穴部との当接部に傾斜部を形成し、この傾斜部と前記穴部端部が当接しながら生ずる回転変位により前記爪部と前記支持部とが嵌合することを特徴とする請求項６記載の同時給排型換気装置。
【請求項８】
前記爪部先端部と前記受け部先端部の互いに当接する側に凸部を設けたことを特徴とする請求項６または７記載の同時給排型換気装置。
【請求項９】
前記閉鎖部には前記フィルターの保持部を有することを特徴とした請求項３〜８のいずれかに記載の同時給排型換気装置。
【請求項１０】
前記閉鎖部は略円形に形成されることを特徴とする請求項３〜９のいずれかに記載の同時給排型換気置。
【請求項１１】
前記フィルターの保持部を、前記フィルター端部を挿入可能な凹部状に形成したことを特徴とする請求項９または１０記載の同時給排型換気装置。
【請求項１２】
前記換気装置は、略正方形の本体形状により形成されることを特徴とする請求項１〜１１のいずれかに記載の同時給排型換気装置。
【発明の詳細な説明】
【技術分野】
【０００１】
本発明は、住宅外部の空気を建物内部に導入するとともに、住宅内部の空気を住宅外部に排出しながら住宅内の換気を行う住宅用換気装置に関する。
【背景技術】
【０００２】
従来、この種の換気装置としては、外気を住宅内に導入する給気経路と住宅内の空気を排出する排気経路を換気装置本体内部に備え、さらにこれらの装置内部には、排出空気に含まれる熱量を低減するための熱交換部や、導入する外気に含まれる花粉や塵埃等をフィルターなどにより除去するための導入外気清浄部などが併設されている換気装置が知られている（例えば、特許文献１参照）。
【０００３】
これらの換気装置は、一般の住宅の天井裏空間等に簡便容易に取り付けることができることを提案するものであり、換気装置の寸法はできるかぎり薄く小さくしなければならず、全体形状も略長方形もしくは略正方形の構成からなり、このような換気装置内部に給気経路部と排気経路部を備えながら、さらに導入外気清浄部や熱交換部などを機能的に配置することが要求されている。
【０００４】
ここに示す特許文献１によれば、前記導入外気清浄部の配置寸法を極力大きくすることなくその機能を向上せしめるため、導入外気をより有効的に外気清浄部に導入することを目的とした外気空気誘導部を設けている。
【特許文献１】特開２００４−６９１２５号公報
【発明の開示】
【発明が解決しようとする課題】
【０００５】
しかしながら、図１６に示す上記従来の換気装置では、換気装置本体内部の配置において、給気経路部と排気経路部からなる空気搬送部６０が略正方形部により本体内部の大半を占有し、さらに外気導入部６１や熱交換部６２、加えて外気清浄部６３さらにはそれらの機能を向上させるための外気空気誘導部６４はこの空気搬送部の前後に別途配置スペースを必要としており、必然的に本体寸法は略長方形にせざるをえない課題があった。また、さらに本体寸法を低減しようとすれば、前記空気搬送部や外気清浄部を小さくする必要があり、本来必要な空気清浄能力や空気搬送能力を低下させる課題があった。
【０００６】
本発明は、このような従来の課題を解決するものであり、給気経路部と排気経路部からなる空気搬送部の配置スペースを犠牲にすることなく、外気空気清浄部を機能的に配置し、さらに換気装置本体の寸法を低減できる換気装置を提供することを目的とする。
【課題を解決するための手段】
【０００７】
本発明の換気装置は上記目的を達成するために、外気導入用ダクト接続部を有する外気導入口と、室内給気用ダクト接続部を有する室内給気口が給気ファンと給気ケーシングからなる給気経路により連通され、室外排気用ダクト接続部を有する室外排気口と、室内空気吸込み口が排気ファンと排気ケーシングからなる排気経路により連通され、前記外気導入口と前記室外排気口とを本体の第１の側面に有し、前記室内給気口を本体の前記第１の側面に相対する第２の側面に有し、前記室内空気吸込み口を前記本体下面に有し、前記給気ファンは前記本体内部のモーターの下部に備え、前記排気ファンは前記モーターの上部に備え、前記モーターにより共に駆動される前記給気ファンと前記排気ファンは略直方体の換気装置本体内部に配置され、前記給気ケーシングの上流部に前記外気の塵埃等を除去するフィルターを備えた同時給排型換気装置であって、前記フィルターは、前記給気ケーシング下部の吸込み部を取り囲むように配置され、前記外気を前記フィルターの外周から前記フィルターを通過し前記給気ケーシング吸込み部に導入する給気経路を備えてなるものである。
【０００８】
また、本発明の換気装置は、前記フィルターは略円筒形状で形成され、前記外気が前記フィルターの外側筒面から内側筒面へ通過する風路で構成されものである。
【０００９】
また、本発明の換気装置は、前記本体下面に前記フィルターを着脱する開口部を設け、
前記開口部を閉鎖する閉鎖部を設け、前記閉鎖部は前記開口部を有する前記本体下面と締結部により締結されるものである。
【００１０】
また、本発明の換気装置は、前記給気ケーシングの吸込み部下方の給気経路部下方に、前記略円筒形フィルターの内径より小なる略円形の障壁部を設けたものである。
【００１１】
また、本発明の換気装置は、前記障壁部と前記閉鎖部との間に空間部を設け、前記閉鎖部の外周部に前記障壁部側へ凸壁部を設け前記障壁部の略外周に当接させたものである。
【００１２】
また、本発明の換気装置は、前記閉鎖部と前記本体下面とを締結する前記締結部は、固定保持用の爪部とこの爪部が勘合する受け部からなり、前記爪部と前記受け部は同心円状に複数配設され、前記閉鎖部の回転により前記爪部と前記受け部が当接、嵌合されるものである。
【００１３】
また、本発明の換気装置は、前記締結部において、前記受け部は、前記爪部が挿入される穴部と前記爪部を支持する支持部とで形成され、前記爪部には前記穴部との当接部に傾斜部を形成し、この傾斜部と前記穴部端部が当接しながら生ずる回転変位により前記爪部と前記支持部とが嵌合するものである。
【００１４】
また、本発明の換気装置は、前記爪部先端部と前記受け部先端部の互いに当接する側に凸部を設けたものである。
【００１５】
また、本発明の換気装置は、前記閉鎖部には前記フィルターの保持部を有するものである。
【００１６】
また、本発明の換気装置は、前記閉鎖部は略円形に形成されるものである。
【００１７】
また、本発明の換気装置は、前記フィルターの保持部を、前記フィルター端部を挿入可能な凹部状に形成したものである。
【００１８】
また、本発明の換気装置は、略正方形の本体形状により形成されるものである。
【発明の効果】
【００１９】
本発明によれば、給気経路部と排気経路部からなる空気搬送部の配置スペースを犠牲にすることなく、外気空気清浄部を機能的に配置し、さらに換気装置本体の寸法を低減できる換気装置を提供することができる。
【発明を実施するための最良の形態】
【００２０】
本発明の請求項１に記載の換気装置は、外気導入用ダクト接続部を有する外気導入口と、室内給気用ダクト接続部を有する室内給気口が給気ファンと給気ケーシングからなる給気経路により連通され、室外排気用ダクト接続部を有する室外排気口と、室内空気吸込み口が排気ファンと排気ケーシングからなる排気経路により連通され、前記外気導入口と前記室外排気口とを本体の第１の側面に有し、前記室内給気口を本体の前記第１の側面に相対する第２の側面に有し、前記室内空気吸込み口を前記本体下面に有し、前記給気ファンは前記本体内部のモーターの下部に備え、前記排気ファンは前記モーターの上部に備え、前記モーターにより共に駆動される前記給気ファンと前記排気ファンは略直方体の換気装置本体内部に配置され、前記給気ケーシングの上流部に前記外気の塵埃等を除去するフィルターを備えた同時給排型換気装置であって、前記フィルターは、前記給気ケーシング下部の吸込み部を取り囲むように配置され、前記外気を前記フィルターの外周から前記フィルターを通過し前記給気ケーシング吸込み部に導入する給気経路を備えてなることを特徴とするものであり、前記フィルターは前記給気ケーシングの下方に位置するので、フィルターの配置による本体寸法の拡張の必要がなく、施工性のすぐれた本体形状を実現することができる。また、フィルターの配置を給気ケーシングの吸込み部を取り囲むことで、フィルター面積を最大に確保することができるので、フィルターの性能や寿命を高く維持することができる。
【００２１】
また、請求項２に記載の換気装置は、請求項１に記載の換気装置において、前記フィルターは略円筒形状で形成され、前記外気が前記フィルターの外側筒面から内側筒面へ通過する風路で構成されることを特徴とするものであり、フィルターを略円筒形状に構成することで、給気ケーシングの略円形の吸込み口と略相似形状に配置できるので、給気空気が略円筒形状のフィルター全周に均一に通過できるので、フィルターの汚れを均一にでき、フィルター寿命を高めることができる。
【００２２】
また、請求項３に記載の換気装置は、請求項１または２に記載の換気装置において、前記本体下面に前記フィルターを着脱する開口部を設け、前記開口部を閉鎖する閉鎖部を設け、前記閉鎖部は前記開口部を有する前記本体下面と締結部により締結されることを特徴とするものであり、前記開口部が本体下面に配置されるので、本体のメンテナンス時にはフィルターの着脱、清掃を行うことができる。また、開口部を閉鎖する閉鎖部は締結手段により締結されるので、フィルターの着脱を容易にすることができる。
【００２３】
また、請求項４に記載の換気装置は、請求項３に記載の換気装置において、前記給気ケーシングの吸込み部下方の給気経路部下方に、前記略円筒形フィルターの内径より小なる略円形の障壁部を設けたことを特徴とするものであり、前記障壁部により、フィルター清掃時や交換時に前記閉鎖部を開放した際暴露される給気ケーシングの吸込み口や給気ファン部を使用者が不用意に触れることを防止する効果を発揮できる。また、前記障壁部を給気ケーシング吸込み口下方に前記閉鎖部と近接する位置に配置するので、前記フィルターの通風路を塞ぐことなく障壁としての必要面積を最大限確保できる。
【００２４】
また、請求項５に記載の換気装置は、請求項４に記載の換気装置において、前記障壁部と前記閉鎖部との間に空間部を設け、前記閉鎖部の外周部に前記障壁部側へ凸壁部を設け前記障壁部の略外周に当接させたことを特徴とするものであり、前記閉鎖部は、給気経路と本体下面の室内空間との隔壁として機能するものであるから、給気経路と室内空間の空気環境により結露の発生が容易に考えられる。前記空間部はこの前記遮蔽部表面の結露防止を目的として配設するものであり、前記閉鎖部と近接する遮蔽部とで断熱を目的とする空気層を形成し、この空気層は閉鎖部外周に設けられ突壁と障壁部外周とを当接させ密閉空間を形成することで実現するものである。
【００２５】
また、請求項６に記載の換気装置は、請求項３〜５のいずれかに記載の換気装置において、前記閉鎖部と前記本体下面とを締結する前記締結部は、固定保持用の爪部とこの爪部が嵌合する受け部からなり、前記爪部と前記受け部は同心円状に複数配設され、前記閉鎖部の回転により前記爪部と前記受け部が当接、嵌合されること特徴とするものであり、前記閉鎖部を閉鎖する際や開放する際、使用者は前記閉鎖部を回転させるだけで容易に着脱行為が完了し、締結部としての別途部品が不必要となり、部品の削減効果も発揮できる。また、締結部を複数配設することで、閉鎖部の均一な閉鎖を可能としており、空気漏洩や結露を確実に防止できる構造となる。
【００２６】
また、請求項７に記載の換気装置は、請求項６に記載の換気装置において、前記締結部において、前記受け部は、前記爪部が挿入される穴部と前記爪部を支持する支持部とで形成され、前記爪部には前記穴部との当接部に傾斜部を形成し、この傾斜部と前記穴部端部が当接しながら生ずる回転変位により前記爪部と前記支持部とが嵌合することを特徴とするものであり、前記爪部を前記穴部に挿入した際、爪部を回転させなければ、前記閉鎖部は締結されず落下する恐れがあるが、前記傾斜部により、爪部を穴部に挿入する際、傾斜部と穴部端面が当接しながら挿入されることで、爪部と前記支持部との嵌合方向の回転変位が必然的に生じることになり、閉鎖部の落下が防止できる。この閉鎖部の開閉を、機器運転時に行った場合、給気経路部を閉鎖する閉鎖部は、給気ファンの吸引力により前記穴部に前記爪部を挿入している状態で閉鎖され、この状態で機器を停止させた場合、不意に閉鎖部が落下するおそれもあるが、前記傾斜部を設けた爪部によれば、給気ファンの吸引力により一旦前記穴部に挿入された爪部は、挿入により発現した回転変位により支持部に嵌合されるので、機器が停止し、吸引力を失っても、閉鎖部が不意に使用者頭上等へ落下するのを防止できる。
【００２７】
また、請求項８に記載の換気装置は、請求項６または７に記載の換気装置において、前記爪部先端部と前記受け部先端部の互いに当接する側に凸部を設けたことを特徴とするものであり、前記爪部と支持部との嵌合が確実に行われたことを使用者が確認できる抵抗感を発現させることができる。また、使用中の機器振動等による予期しない爪部と支持部との嵌合開放等を防止することができる。
【００２８】
また、請求項９に記載の換気装置は、請求項３〜８のいずれかに記載の換気装置において、前記閉鎖部には前記フィルターの保持部を有することを特徴とするものであり、閉鎖部にフィルターを保持することでフィルターメンテナンス時に取外す閉鎖部とフィルターとを同時に一体で着脱することができ、使用者に簡便なメンテナンス性を提供することができる。また、フィルターを別途本体内部に装着する際に生じる機構部品の削減を図ることができる。
【００２９】
また、請求項１０に記載の換気装置は、請求項３〜９のいずれかに記載の換気装置において、前記閉鎖部は略円形に形成されることを特徴とするものであり、前記閉鎖部により開口される本体下面の給気経路部の開口面積を小さくすることができ、前記略円筒形状のフィルターの着脱が最小限の開口部位により形成できるので、使用者によるメンテナンスが容易となる。
【００３０】
また，請求項１１に記載の換気装置は、請求項９または１０に記載の換気装置において、前記フィルターの保持部を、前記フィルター端部を挿入可能な凹部状に形成したことを特徴とするものであり、前記略円柱状のフィルター端部を凹部に挿入することで、簡単にフィルターを前記閉鎖部に取付けることができ、フィルター端部の空気漏洩を防止できるフィルターの取付けが実現できる。
【００３１】
また、請求項１２に記載の換気装置は、請求項１〜１１のいずれかに記載の換気装置において、前記換気装置は、略正方形の本体形状により形成されることを特徴とするものであり、本来必要な給気経路や排気経路のスペースを減少させることなく、フィルターなどの外気空気清浄部を設けることができ、さらに、本体サイズを、ファンモーター部を略中心部に配設した略正方形に構成することが可能となり、本体設置の際、省スペースで簡便な施工性能を提供することができる。
【００３２】
以下、本発明の実施の形態について図１〜図１５を参照しながら説明する。
【００３３】
（実施の形態１）
本発明の換気装置の実施の形態１として、ダクトを用いて、住宅外部の空気を建物内部に導入するとともに、住宅内部の空気を住宅外部に排出しながら住宅内の換気を行う住宅用の換気装置について説明をする。
【００３４】
図１〜３に示すように、換気装置の本体１は、フレーム２とフレーム２内部に内蔵する給気ファン部３と排気ファン部４からなり、本体の第１の側面５には、外気導入用ダクト接続部６を有する外気導入口７と、室外排気用ダクト接続部８を有する室外排気口９とが並設され、第1の側面５と相対する第2の側面１０には室内給気用ダクト接続部１１を有する室内給気口１２を配設している。
【００３５】
外気空気１３は、外気導入ダクトを介し、外気導入口７から給気ファン１４と給気ケーシング１５からなる給気ファン部３に取り込まれ、室内給気口１２から室内給気ダクトを介して、住宅の所望の箇所に供給される。一方、室内空気１６は、本体下面に位置する室内空気吸込口１７から排気ファン１８と排気ケーシング１９からなる排気ファン部４に取り込まれ、室外排気口９から室外排気ダクトを介して、住宅外に排気される。
【００３６】
また、本体内部において、給気ファン部３と排気ファン部４は、仕切り板２０により上下空間に仕切られており、仕切り板２０の上部に排気ファン部４を形成し、仕切り板２０の下部に給気ファン部３を形成している。仕切り板２０にはモーター２１が配設され、給気ファン１４と排気ファン１８を同一モーターにより共に駆動している。
【００３７】
本体下面の室内空気吸込口１７と排気ファン部４とは給気ファン部３外郭に設けられた排気経路部２２により連通され、給気ケーシング１５下方の給気経路部２３と本体下方の室内空間２４とは、本体下面パネル２５により隔絶され、給気経路部２３と排気経路部２２との隔壁部分は断熱材２６により構成されている。
【００３８】
外気空気１３に含まれる塵埃等を除去するフィルター２７は、給気ケーシング吸込み口２８の下方に、給気ケーシング吸込み口２８を取り囲むように配設され、フィルター２７の周囲には、フィルター２７の外周からフィルター２７を通過し給気ケーシング吸込み部２８に外気を導入する給気経路部２９を備えている。また、フィルター２７は図４に示す略円筒形状で形成され、略円筒形状内側に給気ケーシング吸込み口２８が位置する部位に配設し、フィルター端部３０を給気ケーシング１５に当接させ、他方のフィルター端部３０は本体下面パネル２５に当接させ、フィルター外周の隙間を塞いでいる。
【００３９】
外気空気１３はフィルター外周部に展開する給気経路部２９を経て、フィルター外周全方向からフィルターを通過し、塵埃を除去された清浄外気はフィルター内側の給気ケーシング吸込み口２８に搬送される。
【００４０】
フィルター２７を上記位置に配設することで、本体サイズをフィルター搭載によって拡張する必要がなく、本体サイズをコンパクトに構成することができ、施工スペースの確保が小さくできる効果がある。また、給気ケーシング吸込み口外周にフィルターが配設されているので、平面的な形状のフィルターに比較し、フィルター面積を大きくすることが可能となり、フィルター外周全周に展開する給気経路部により、フィルターへ外気空気が均一に通過させることができ、フィルター性能の高効率化や寿命を向上させる効果がある。
【００４１】
また、図４に示すように、フィルター２７を略円筒形状に形成することで、給気ケーシング吸込口２８とフィルター２７との距離を一定に配置できるので、フィルターへ外気空気を均一に通過させる効果がさらに向上し、フィルターの塵埃捕集箇所が均一になるとともに、フィルターの着脱を行う開口部面積を最小限にできる効果がある。
【００４２】
また、図５に示すように、本体下面パネル２５のフィルター下方に対応する位置に開口部３１を設け、フィルター２７の清掃、交換などのメンテナンスを行う際は、この開口部３１からフィルター２７の着脱を行う。開口部３１には閉鎖部３２を設け、通常の機器運転時は開口部３１を閉鎖密閉する。
【００４３】
また、図１〜２に示すように、閉鎖部３２は本体下面パネル２５と締結部３３により締結され、締結部３３の開放、締結動作により簡単に閉鎖部３２の着脱が可能となる。
【００４４】
また、図５に示すように、開口部３１の略中心部に、閉鎖部３２に近接して相対する略平面状の障壁部３４を設け、フィルター２７は障壁部外周のフィルター挿入部３５より着脱できる構成とする。
【００４５】
この障壁部により、フィルターメンテナンス時、給気ケーシング吸込み口から暴露される給気ファンに使用者の手などが触れることを防止することができる。
【００４６】
また、図７に示すように、閉鎖部３２と障壁部３４はおよそ１０ｍｍ程度の離隔による空間部３６を設け、障壁部外周に閉鎖部側へ凸壁３７を設け、この凸壁３７は閉鎖部外周に当接密閉されている。空間部３６は、断熱層として機能するので、閉鎖部表面の結露を防止できる。障壁部３４に設ける凸壁３７は、空間部の密閉性を維持する目的であるので、パッキンなどのシール材でも代用することができる。
【００４７】
また、図８〜９に示すように、閉鎖部３２の外縁には爪部３８を設け、本体下面パネル２５には閉鎖部３２の爪部３８に対応する位置に爪部３８を挿入、嵌合する受け部３９を設けている。
【００４８】
また、図１０に示すように、受け部３９は、爪部３８が挿入される穴部４０と爪部３８を支持する支持部４１とで形成されている。
【００４９】
また、図８〜１０に示すように、爪部３８と受け部３９は同心円状に複数配設され、閉鎖部３２の回転により爪部３８と受け部３９が当接、嵌合し、閉鎖部３２は本体下面パネル２５に取付けられる。閉鎖部３２を取外す際は、取付け時と反対方向に閉鎖部３２を回転させ、爪部３８と受け部の嵌合を開放して閉鎖部３２をとりはずす。
【００５０】
このように、閉鎖部と本体下面パネル双方に締結構造を付加しているので、閉鎖部と本体下面パネルとの締結のための別途締結部品が不要となる。また、爪部と受け部を同心円状に配置しているので、閉鎖部の回転により締結させることができ、メンテナンス時に容易に着脱が可能となる。
【００５１】
また、図１１〜１２に示すように、爪部３８には穴部４０との当接部に傾斜部４２を形成し、この傾斜部４２と穴部端部が当接しながら生ずる回転変位４３により爪部３８と支持部４１とが嵌合する。閉鎖部３２の内側は給気ケーシング吸込口２８であるので、機器運転時は負圧となり、閉鎖部３２は負圧により生ずる吸引力により開口部３１を塞ぎながら本体下面パネル２５に取り付くが、運転停止した場合、爪部と受け部が嵌合していないと吸引力が失われ、使用者側に不意に落下する恐れがある。爪部に設けた傾斜部４２は、このような危険性を回避するものであり、給気ケーシング部の吸引力により閉鎖部３２が本体下面パネル２５に取り付くと同時に、傾斜部４２と穴部端部が当接しながら閉鎖部３２に生ずる回転変位４３により閉鎖部が回転し、爪部と支持部が嵌合するので、機器が停止した場合でも不意に閉鎖部３２が落下することを防止できる。
【００５２】
また、図１３〜１４に示すように、爪部先端部と支持部先端部の互いに当接する側には、凸部４４を設けている。この凸部により機器運転時の振動などで閉鎖部の嵌合部が開放されることを防止できる。
【００５３】
また、給気経路部の吸引力により爪部が穴部に挿入された状態のみで嵌合が不完全な場合に、機器が停止されたことによる吸引力の低下に起因する閉鎖部の落下を凸部に係り合うことで確実に防止できる。
【００５４】
また、図１５に示すように、閉鎖部３２にはフィルター２７の保持部４５を配設し、フィルターを閉鎖部に着脱できるように構成している。これによりフィルターメンテナンス時、閉鎖部を開放すれば、その内側にフィルターを装着しているので、フィルター着脱の作業が手元でできるので、メンテナンス性も容易である。
【００５５】
また、フィルター２７の保持部４５は、フィルター端部３０を挿入する凹部状に形成された複数のリブ４６を配設しており、フィルター端部３０をリブ４６により形成される凹部に挿入し保持している。略円筒形状のフィルター端部３０は略円形であり、閉鎖部３２にフィルター２７を挿入する際、フィルター端部の円形形状に合わせて挿入できるので、円周方向には任意に挿入が可能となるなどフィルターの挿入が容易である。また、全周を凹部状のリブにより形成されるので、フィルター端部の空気漏れを確実に防止できる。
【００５６】
また、閉鎖部３２は略円形に構成することで、フィルター着脱の開口部３１の面積を最小限にすることができ、締結部のスペースや室内空気吸込み口のスペースを大きく確保できる。
【００５７】
また、閉鎖部は回転により本体下面パネルに嵌合されるので、閉鎖部を略円形にすることで、回転による動作の訴求が明確となる効果がある。
【００５８】
また、本換気装置は、略正方形の本体形状に構成されるので、施工時の天井スペースが小さくでき、略長方形に対し方向性による制約がなく、機器設置スペースの自由度を広げることができる。
【産業上の利用可能性】
【００５９】
本発明にかかる換気装置は、ダクトを用い住宅外部の空気を建物内部に導入するとともに、住宅内部の空気を住宅外部に排出しながら住宅内の換気を行う住宅用換気装置などに有用である。
【図面の簡単な説明】
【００６０】
【図１】本発明の実施の形態１における換気装置を示す断面図
【図２】同換気装置の平面図
【図３】同換気装置の図2に対応する断面図
【図４】同換気装置のフィルターを示す斜視図
【図５】同換気装置の開口部開口状態を示す断面図
【図６】同換気装置の図5に対応する平面図
【図７】同換気装置の空間部を示す断面図
【図８】同換気装置の爪部を示す断面図
【図９】同換気装置の図8に対応する平面図
【図１０】同換気装置の締結部を示す断面図
【図１１】同換気装置の爪部に設けた傾斜部を示す断面図
【図１２】同換気装置の傾斜部により生ずる回転変位を示す断面図
【図１３】同換気装置の爪部および指示部に設けた凸部を示す断面図
【図１４】同換気装置の凸部による嵌合状態を示す断面図
【図１５】同換気装置のフィルター指示部を示す斜視図
【図１６】従来の換気装置の内部構成を示す模式図
【符号の説明】
【００６１】
１    本体
５    第1の側面
６    外気導入用ダクト接続部
７    外気導入口
８    室外排気用ダクト接続部
９    室外排気口
１０  第２の側面
１１  室内給気用ダクト接続部
１２  室内給気口
１４  給気ファン
１５  給気ケーシング
１７  室内空気吸込口
１８  排気ファン
１９  排気ケーシング
２１  モーター
２２  排気経路部
２３  給気経路部
２７  フィルター
３０  フィルター端部
３１  開口部
３２  閉鎖部
３３  締結部
３４  障壁部
３６  空間部
３７  凸壁
３８  爪部
３９  受け部
４０  穴部
４１  支持部
４２  傾斜部
４３  回転変位
４４  凸部
４５  保持部
【図１】
2006292251.tif 000003
【図２】
2006292251.tif 000004
【図３】
2006292251.tif 000005
【図４】
2006292251.tif 000006
【図５】
2006292251.tif 000007
【図６】
2006292251.tif 000008
【図７】
2006292251.tif 000009
【図８】
2006292251.tif 000010
【図９】
2006292251.tif 000011
【図１０】
2006292251.tif 000012
【図１１】
2006292251.tif 000013
【図１２】
2006292251.tif 000014
【図１３】
2006292251.tif 000015
【図１４】
2006292251.tif 000016
【図１５】
2006292251.tif 000017
【図１６】
2006292251.tif 000018